(57)【要約】【課題】外反母趾ならびに内反小趾を改善するための靴下を提供する。その際、改善に必要な部位のみを適当に押圧することが可能となる。【解決手段】第一中足骨骨頭部関節３１を押圧する第１弾性伸縮部２０ａと第五中足骨基底部関節３２を押圧する第２弾性伸縮部２０ｂを有し、当該部位のみを適当な押圧力で内側に圧迫して外反母趾、内反小趾の治癒を図った。また、第二指第三指間、第三指第四指間に切り欠きを設け、その深さを適当に調節したために最適な足指の配置となるようにした。【選択図】図１
2010156078.tif 000002
【特許請求の範囲】
【請求項１】
外反母趾を予防または改善する靴下であって、
第一中足骨基底側から第一中足骨骨頭部関節を覆う部位にかけて内側側面に形成する第１弾性伸縮部と、
第一中足骨骨頭部から内側方向へ引っ張る第２弾性伸縮部とを備え、
前記各弾性伸縮部は他の部位より弾性力の強い素材によってなり、
前記各弾性伸縮部が伸縮することにより、前記第一中足骨骨頭部関節を内部に押圧し、第一指は外側に拡開される
ことを特徴とする外反母趾用靴下。
【請求項２】
前記第２弾性伸縮部は第五中足骨基底部関節を被う部位を通過し、
前記各弾性伸縮部が伸縮することにより、前記第一中足骨骨頭部関節および前記第五中足骨基底部関節を内部に押圧し、第一指及び第五指は外側に拡開される
ことを特徴とする請求項１記載の外反母趾用靴下。
【請求項３】
前記第２弾性伸縮部は、甲側に配されるとともに、
第一中足骨骨頭部から第五中足骨基底部にかけて足の裏側表面に沿って形成する第３弾性伸縮部と、
第一中足骨骨頭部から中足骨骨頭部関節の外周に沿って形成する第４弾性伸縮部とを備え、
前記各弾性伸縮部が伸縮することにより、前記第一中足骨骨頭部関節および前記第五中足骨基底部関節を内部に押圧し、第一指及び第五指は外側に拡開される
ことを特徴とする請求項１または２記載の外反母趾用靴下。
【請求項４】
第一指、第五指を覆う部位には第一指、第五指が嵌入される袋部を形成したことを特徴とする請求項１、２、又は３記載の外反母趾用靴下。
【請求項５】
第二指、第三指、第四指を覆う部位には第二指、第三指、第四指が嵌入される袋部を形成し、
第二指と第三指の間の切り欠きは第二指の第一関節まで、第三指と第四指の間の切り欠きは第四指の第一関節まで、
としたことを特徴とする請求項４記載の外反母趾用靴下。
【請求項６】
第一指〜第五指を外反母趾ならび内反小趾を罹患していない正常な位置に支持する足指支持具を配置した
ことを特徴とする請求項１、２、または３記載の外反母趾用靴下。
【請求項７】
第二指〜第四指を外反母趾ならび内反小趾を罹患していない正常な位置に支持する足指支持具を配置した
ことを特徴とする請求項１、２、３、または４記載の外反母趾用靴下。
【発明の詳細な説明】
【技術分野】
【０００１】
本発明は、外反母趾を防止または改善する靴下に関する。
【背景技術】
【０００２】
従来、足の適当な部位を押圧し、第一指および第五指の拡開を促し外反母趾、内反小趾を防止ないし改善する靴下としては、例えば、特許文献１に示すようなものがある。すなわち、足の中足関節部及び第５中足骨基底部に当接する部分を他の部分より弾力性が強い部材で構成し、親指及び小指を嵌入する袋部を足先両側に形成し、中足関節部及び第５中足骨基底部を押圧する力により親指及び小指を外方に拡開するものである。
【０００３】
【特許文献１】特開２００１−２６２４０５号公報
【発明の開示】
【発明が解決しようとする課題】
【０００４】
しかしながら、前述したような特許文献１に記載の技術は、中足骨骨頭部関節および第５中足骨基底部に当接する部位に二重のリング状の弾性伸縮部を設けたもので必要部位以外も圧迫することとなり、適切に第一指および第五指の拡開を促すとはいえないという問題点があった。
本発明は、以上のような従来技術が有する問題点に着目してなされたもので、第一指および第五指を拡開するために必要な部位のみを適切に圧迫することができ、より効果的に外反母趾を防止または改善する外反母趾用靴下を提供することを目的としている。
【課題を解決するための手段】
【０００５】
前述した目的を達成するための本発明の要旨とするところは、以下の各項の発明に存する。  
［１］  外反母趾を予防または改善する靴下であって、
第一中足骨基底側から第一中足骨骨頭部関節（３１）を覆う部位にかけて内側側面に形成する第１弾性伸縮部（２０ａ）と、
第一中足骨骨頭部から内側方向へ引っ張る第２弾性伸縮部（２０ｂ）とを備え、
前記各弾性伸縮部（２０）は他の部位より弾性力の強い素材によってなり、
前記各弾性伸縮部（２０）が伸縮することにより、前記第一中足骨骨頭部関節（３１）を内部に押圧し、第一指は外側に拡開される
ことを特徴とする外反母趾用靴下（１０）。
【０００６】
［２］  前記第２弾性伸縮部（２０ｂ）は第五中足骨基底部関節（３２）を被う部位を通過し、
前記各弾性伸縮部（２０）が伸縮することにより、前記第一中足骨骨頭部関節（３１）および前記第五中足骨基底部関節（３２）を内部に押圧し、第一指及び第五指は外側に拡開される
ことを特徴とする［１］記載の外反母趾用靴下（１０）。
【０００７】
［３］  前記第２弾性伸縮部（２０ｂ）は、甲側に配されるとともに、
第一中足骨骨頭部から第五中足骨基底部にかけて足の裏側表面に沿って形成する第３弾性伸縮部（２０ｃ）と、
第一中足骨骨頭部から中足骨骨頭部関節の外周に沿って形成する第４弾性伸縮部（２０ｄ）とを備え、
前記各弾性伸縮部（２０）が伸縮することにより、前記第一中足骨骨頭部関節（３１）および前記第五中足骨基底部関節（３２）を内部に押圧し、第一指及び第五指は外側に拡開される
ことを特徴とする［１］または［２］記載の外反母趾用靴下（１０）。
【０００８】
［４］  第一指、第五指を覆う先端には第一指、第五指が嵌入される袋部（４０ａ，４０ｂ）を形成したことを特徴とする［１］、［２］、又は［３］記載の外反母趾用靴下（１０ａ）。
【０００９】
［５］  第二指、第三指、第四指を覆う部位には第二指、第三指、第四指が嵌入される袋部（４１ａ，４１ｂ，４１ｃ）を形成し、
第二指と第三指の間の切り欠き（４２ａ）は第二指の第一関節まで、第三指と第四指の間の切り欠き（４２ｂ）は第四指の第一関節まで、
としたことを特徴とする［４］記載の外反母趾用靴下（１０ａ）。
【００１０】
［６］  第一指〜第五指を外反母趾ならび内反小趾を罹患していない正常な位置に支持する足指支持具（５０ａ）を配置した
ことを特徴とする［１］、［２］、または［３］記載の外反母趾用靴下（１０）。
【００１１】
［７］  第二指〜第四指を外反母趾ならび内反小趾を罹患していない正常な位置に支持する足指支持具（５０ｂ）を配置した
ことを特徴とする［１］、［２］、［３］、または［４］記載の外反母趾用靴下（１０ｂ）。
【００１２】
前記本発明は次のように作用する。
靴や履物などによって締め付けられることで変形した外反母趾ならびに内反小趾の足は第一指、第五指が第一中足骨骨頭部関節（３１）、第五中足骨基底部関節（３２）より内側に変形している。着用者は第一中足骨骨頭部関節（３１）ならびに第五中足骨骨頭部関節（３２）に第一中足骨骨頭部関節当接部位（Ａ）、第五中足骨基底部関節当接部位（Ｂ）をそれぞれ関節位置に配する。
【００１３】
前記［１］記載の外反母趾用靴下（１０）によれば、第１弾性伸縮部（２０ａ）、第２弾性伸縮部（２０ｂ）の各弾性伸縮部（２０）が伸縮し、前記第一中足骨骨頭部関節（３１）を内部に押圧することにより第一指及び第五指は外側に拡開することができる。
【００１４】
前記［２］記載の外反母趾用靴下（１０）によれば、第１弾性伸縮部（２０ａ）、第２弾性伸縮部（２０ｂ）の各弾性伸縮部（２０）が伸縮し、前記第一中足骨骨頭部関節（３１）及び前記第五中足骨基底部関節（３２）を内部に押圧することにより第一指及び第五指は外側に拡開することができる。
【００１５】
前記［３］記載の外反母趾用靴下（１０）によれば、第１弾性伸縮部（２０ａ）、第２弾性伸縮部（２０ｂ）、第３弾性伸縮部（２０ｃ）、第４弾性伸縮部（２０ｄ）の各弾性伸縮部（２０）が伸縮し、前記第一中足骨骨頭部関節（３１）及び前記第五中足骨基底部関節（３２）を内部に押圧することにより第一指及び第五指は外側に拡開することができる。
【００１６】
前記［４］記載の外反母趾用靴下（１０ａ）によれば、第１弾性伸縮部（２０ａ）、第２弾性伸縮部（２０ｂ）、第３弾性伸縮部（２０ｃ）、第４弾性伸縮部（２０ｄ）の各弾性伸縮部（２０）が伸縮し、前記第一中足骨骨頭部関節（３１）及び前記第五中足骨基底部関節（３２）を内部に押圧することにより第一指及び第五指は外側に拡開する。さらに、第１指および第５指を納める袋部（４０ａ，４０ｂ）を備えており、靴下地が第一指および第五指に密着した状態で拡開することができる。
【００１７】
前記［５］記載の外反母趾用靴下（１０ａ）によれば、第１弾性伸縮部（２０ａ）、第２弾性伸縮部（２０ｂ）、第３弾性伸縮部（２０ｃ）、第４弾性伸縮部（２０ｄ）の各弾性伸縮部（２０）が伸縮し、前記第一中足骨骨頭部関節（３１）及び前記第五中足骨基底部関節（３２）を内部に押圧することにより第一指及び第五指は外側に拡開する。さらに、第１指および第５指を納める袋部を備えており、靴下地が第一指および第五指に密着した状態で拡開することができる。また、第二指と第三指の間、第三指と第四指の間に切り欠き（４２ａ，４２ｂ）を形成し、その長さを第二指と第三指の間の切り欠き（４２ａ）は第二指の第一関節まで、第三指と第四指の間の切り欠き（４２ｂ）は第四指の第一関節までの長さとしたので足指の開き具合が適当に調整される。
【００１８】
前記［６］記載の外反母趾用靴下（１０）によれば、第１弾性伸縮部（２０ａ）、第２弾性伸縮部（２０ｂ）、第３弾性伸縮部（２０ｃ）、第４弾性伸縮部（２０ｄ）の各弾性伸縮部（２０）が伸縮し、前記第一中足骨骨頭部関節（３１）及び前記第五中足骨基底部関節（３２）を内部に押圧することにより第一指及び第五指は外側に拡開する。さらに、足指支持具（５０ａ）によって、正常位置に足指が固定されているので、より安定して正常位置に拡開される。
【００１９】
前記［７］記載の外反母趾用靴下（１０ｂ）によれば、第１弾性伸縮部（２０ａ）、第２弾性伸縮部（２０ｂ）、第３弾性伸縮部（２０ｃ）、第４弾性伸縮部（２０ｄ）の各弾性伸縮部（２０）が伸縮し、前記第一中足骨骨頭部関節（３１）及び前記第五中足骨基底部関節（３２）を内部に押圧することにより第一指及び第五指は外側に拡開する。さらに、足指支持具（５０ｂ）によって、正常位置に足指が固定されているので、より安定して正常位置に拡開される。
【発明の効果】
【００２０】
本発明に係る外反母趾用靴下によれば、適切な部位に配置した各弾性伸縮部が第一中足骨骨頭部関節を押圧することにより第一指が外側に拡開させ、正常な足本来の縦アーチ、横アーチを再生し、外反母趾、内反小趾を防止ないし改善することができる。
【発明を実施するための最良の形態】
【００２１】
以下、図面に基づき本発明を代表する各種実施の形態を説明する。  
図１、図２は本発明の第一の実施の形態を示している。  
図１は本実施の形態に係る外反母趾用靴下の装着状態を示す斜視図であり、図２は装着状態を示す底面図であり、図５は足の内部を模式的に表した説明図である。
【００２２】
本実施の形態に係る外反母趾用靴下１０は、足の全部又は一部を被う靴下本体と、第１弾性伸縮部２０ａと、第２弾性伸縮部２０ｂと、第３弾性伸縮部２０ｃと、第４弾性伸縮部２０ｄとを備えている。
図１、図２、図５に示すように、外反母趾用靴下１０は靴下本体の第一中足骨骨頭部関節３１および第五中足骨基底部関節３２に対応する部位に内部へ押圧するための第１〜第４の各弾性伸縮部２０を配置している。
【００２３】
靴下は足にゴム等の弾性力を持った素材が織り込まれて踝、指等の足の形状に合うように形成されるが、弾性伸縮部２０は通常の本体の生地部分より強力な弾性力を持つ素材を使用する。特に帯状の弾性伸縮部２０の長さ方向に引っ張る力を持たせ、当接部位を反対する２方向以上から各弾性伸縮部２０の引っ張ることによって、接続する部分は強く引っ張られることになり、当該部分に凸形状である当接部位を位置させて、内方向への強い押圧力を可能なものとする。
【００２４】
靴や履物などによって第一指が内側に締め付けられることで変形した外反母趾の足は第一指が第一中足骨骨頭部関節３１より内側に変形し、又はかつ湾曲して第二指上に乗り上げた状態となり、第一中足骨骨頭部関節は側面外側に突出する（外反母趾）。また、内反小趾の足は第五指が第五中足骨基底部関節又は第五中足骨骨頭部関節より内側に変形し、又はかつ湾曲して第四指上に乗り上げた状態となり、第五中足骨基底部関節３２は突出した状態となる（内反小趾）。関節部が外に張り出した状態となると付近の骨が周囲の神経を圧迫して痛みを伴った状態となることも多い。
【００２５】
第１弾性伸縮部２０ａは、第１中足骨基底部３６ａ側から足の内側側面に沿って第一中足骨骨頭部関節３１を被うように配置され、弾性力によって内側に押圧する。靴や履物などによって第一指が内側に締め付けられることで変形した足は第一中足骨骨頭部関節３１より内側に曲がった状態となり、該関節は側面外側に突出した状態となる。この当該関節部位に足の側面外側から当接する部位に第１弾性伸縮部２０ａの（第一中足骨骨頭部関節）当接部位Ａを位置させる。当該当接部位Ａよりかかと方向への第１弾性伸縮部２０ａの長さは弾性力の強さなどを考慮してその長短を調節するが、本実施の形態に係る外反母趾用靴下１０では第一中足骨基底部近傍にかかと側の一端を位置させることとした。
【００２６】
第２弾性伸縮部２０ｂは、第１弾性伸縮部２０ａの当接部位Ａより連続して足の上部の甲を通り第五中足骨基底部関節３２に至り、該第五中足骨基底部関節３２を被い、（第五中足骨基底部関節）当接部位Ｂを通過して足裏に至る。足裏側の端部は三角形状に形成した。
【００２７】
第３弾性伸縮部２０ｃは、第１弾性伸縮部２０ａの当接部位Ａより連続して足の下部の土踏まずを通り第五中足骨基底部関節３２に当接する部位（当接部位Ｂ）に至る位置に配される。
【００２８】
第４弾性伸縮部２０ｄは、第１弾性伸縮部２０ａの当接部位Ａより連続して足の周状に配され、第二〜第五中足骨骨頭部関節の近傍をその上面および下面に沿って周回し第１弾性伸縮部２０ａの当接部位Ａに至る。なお、第五指付近では帯状の第４弾性伸縮部２０ｄの一部を切り欠いて、第五指の可動を妨げないようにしてもよい。（図１および図２の第４弾性伸縮部２０ｄの第五指の基部付近の切り欠きを参照。）
【００２９】
本実施の形態に係る外反母趾用靴下１０において、隣接する弾性伸縮部２０同士を連続して配置するものとして記述したが、必ずしも連続している必要が無いのは言うまでもない。生地上の一部に弾性伸縮部を設けたとき、その弾性力は長さ方向の連続した部位に及ぶからである。
【００３０】
また、第４弾性伸縮部２０ｄは上面と下面で分割した構成としてもよい。これにより右側側面部分（右足の場合）にかかる部分を押圧させなくすることができる。
靴下本体は様々なタイプのものが対応可能である。例えば通常の丈のものに加え、ローカットのもの、ストッキングなどである。
【００３１】
また、本実施の形態に係る外反母趾用靴下１０の内部に足指支持具５０ａ，５０ｂを配置することもできる（図６、図７参照）。足指支持具５０ｂを配置する構成については後述するので、ここでは足指支持具５０ａについて説明する。足指支持具５０ａは第一指〜第五指が嵌入される嵌入部５１と足底位置に足底部５２が一体に成形され、材質は一般の合成樹脂（例えば、塩化ビニル樹脂、ポリプロピレン、ポリエチレン、シリコン樹脂）等の皮膚に直接触れることが可能なものであって、体重を掛けても型崩れせず、形状を維持し、柔軟性がある素材によって形成されるものである。
【００３２】
足指支持具５０ａ，５０ｂによって、足指、特に嵌入部５１に嵌入された第一指、第五指がいっそう強固に固定され、一層外反母趾ならびに内反小趾の改善の度合いを高めることができる。
【００３３】
次に本実施の形態に係る外反母趾用靴下１０の作用を説明する。  
長さ、幅、形状、によって適当に調整された第１弾性伸縮部２０ａ、第２弾性伸縮部２０ｂ、第３弾性伸縮部２０ｃ、第４弾性伸縮部２０ｄは、その弾性力によって、第一中足骨骨頭部関節当接部位Ａより第一中足骨骨頭部関節３１を、第五中足骨基底部関節当接部位Ｂより第五中足骨基底部関節３２を押圧する。
【００３４】
第一中足骨骨頭部関節３１は、第１弾性伸縮部２０ａによってその引っ張り方向である第一中足骨基底部方向に、第２弾性伸縮部２０ｂによってその引っ張り方向である第五中足骨骨頭部関節３２方向に、第３弾性伸縮部２０ｃによってその引っ張り方向である第五中足骨基底部足裏方向に、第４弾性伸縮部２０ｄによってその引っ張り方向である第五中足骨基底部甲側方向に力を受け、第一中足骨骨頭部関節３１はそれらの合力方向へ押圧されることになる。
【００３５】
第五中足骨基底部関節３２は、第３弾性伸縮部２０ｃによってその引っ張り方向である第一中足骨基底部方向の甲側に、第４弾性伸縮部２０ｄによってその引っ張り方向である第一中足骨基底部方向の足裏側に力を受け、第五中足骨基底部関節３２はそれらの合力方向へ押圧される。
【００３６】
なお、本実施の形態に係る外反母趾用靴下１０では、第１弾性伸縮部２０ａおよび第４弾性伸縮部２０ｄを第一中足骨骨頭部関節３１、第五中足骨基底部関節３２に当接させたが、第１弾性伸縮部２０ａに代わり第２弾性伸縮部２０ｂ、第３弾性伸縮部２０ｃ、第４弾性伸縮部２０ｄを、第４弾性伸縮部２０ｄに代わり第３弾性伸縮部２０ｃを各関節に当接しその他の接する弾性伸縮部を連続に配置してもよい。
【００３７】
また、外反母趾を患う足の第一指は内側に変形すると共に、基底部側から見て（右足の場合）逆時計回り方向に回旋している場合が多い。これを逆方向に強制するために、第２弾性伸縮部２０ｂの上側（甲側）の弾性力を下側に比べて強いものを配し、時計回り方向に力を与えるように構成することとしても良い。
【００３８】
図３は本発明の第２実施の形態を示している。
本実施の形態では、第一指、第五指が嵌入される袋部４０ａ，４０ｂを設けるとともに、第二指第三指の間、第三指第四指の間に切り欠きを設け、第二指、第三指、第四指が嵌入される袋部４１ａ，４１ｂ，４１ｃを形成したものである。なお、第１実施の形態と同種の部位には同一符号を付して重複した説明を省略する。
【００３９】
本実施の形態に係る外反母趾用靴下１０ａは靴下本体の第一指、第五指部分に第一指袋部４０ａと第五指袋部４０ｂを形成すると共に、第二指と第三指の間に切り欠き４２ａと第三指と第四指の間に切り欠き４２ｂを設け、切り欠き４２ａは第二指の第一関節までとし、切り欠き４２ｂは第四指の第一関節までとしたものである。
【００４０】
切り欠き４２ａ，４２ｂを指の根元までとはせずに中間位置までとしたため、第二指、第三指、第四指の拡開が調節され、先に述べた第一指袋部４０ａと第五指袋部４０ｂとあわせて、最適な足指の配置となり、縦、横のアーチを再生して最適に外反母趾、内反小趾を改善することができる。
【００４１】
図４および図７は本発明の第３実施の形態を示している。  
本実施の形態では、第一指袋部４０ａと第五指袋部４０ｂを備え、内部に足指支持具５０ｂを配置したものである。なお、第１実施の形態と同種の部位には同一符号を付して重複した説明を省略する。
【００４２】
本実施の形態に係る外反母趾用靴下１０ｂは靴下本体の第一指、第五指部分に第一指袋部４０ａと第五指袋部４０ｂを形成し、第二指、第三指、第四指部分に足指支持具５０ｂを配置している。
【００４３】
足指支持具５０ｂは第二指、第三指、第四指が嵌入される嵌入部５１と、足底部分に足底部５２が一体に成形されている。材質は一般の合成樹脂、例えば、塩化ビニル樹脂、ポリプロピレン、ポリエチレン、シリコン樹脂等などが使用される。
【００４４】
本実施の形態に係る外反母趾用靴下１０ｂによれば、第一指袋部４０ａと第五指袋部４０ｂが形成されているので、第一指および第五指の自由な可動が可能となり、より第一指、第五指の拡開が容易なものとなる。また、指の形状にフィットしているため、汗等の吸収し易いものとなる。
【００４５】
また、第二指〜第四指が嵌入された足指支持具５０ｂは、第二指〜第四指を一体とすることで第一指ならびに第五指の乗り上げを防ぎ、前述の各弾性伸縮部２０の働きと合わせて、外反母趾、内反小趾の改善の効果を高めることができる。
【００４６】
なお、本発明に係る外反母趾用靴下は、前述した各種実施の形態に限定されるものではなく、例えば、前記実施の形態においては、通常の靴下に各弾性伸縮部を設けた外反母趾用靴下を示したが、靴下は足裏に指圧効果のための突起を設けたものであってもよい。また、滑り止めの効果を施したものでもよい。
以上、本発明の実施の形態を図面によって説明してきたが、具体的な構成は前述した実施の形態に限られるものではなく、本発明の要旨を逸脱しない範囲における変更や追加があっても本発明に含まれる。
【００４７】
例えば、第二の実施の形態では、第一指、第五指に袋部を設け、第二指第三指間と第三指第四指間の切り欠きをそれぞれ第二指の第一関節まで、第四指の第一関節までの長さとしたが、外反母趾の状態や足の形状などによっては、その切り欠きの深さを適宜調節するものであってもよい。
【図面の簡単な説明】
【００４８】
【図１】本発明の第１実施の形態に係る外反母趾用靴下の装着状態を示す斜視図である。
【図２】本発明の第１実施の形態に係る外反母趾用靴下の装着状態を示す底面図である。
【図３】本発明の第２実施の形態に係る外反母趾用靴下の装着状態を示す斜視図である。
【図４】本発明の第３実施の形態に係る外反母趾用靴下の装着状態を示す斜視図である。
【図５】本発明の実施の形態に係る足の内部を模式的に表した説明図である。
【図６】本発明の実施の形態に係る外反母趾用靴下の内部に配置する足指支持具を示す斜視図である。
【図７】本発明の実施の形態に係る外反母趾用靴下の内部に配置する足指支持具を示す斜視図である。
【符号の説明】
【００４９】
１０…外反母趾用靴下
１０ａ…外反母趾用靴下
１０ｂ…外反母趾用靴下
１０ｃ…外反母趾用靴下
２０…弾性伸縮部
２０ａ…第１弾性伸縮部
２０ｂ…第２弾性伸縮部
２０ｃ…第３弾性伸縮部
２０ｄ…第４弾性伸縮部
（３０…足）
３１…第一中足骨骨頭部関節
Ａ…第一中足骨骨頭部関節当接部位
３２…第五中足骨基底部関節
Ｂ…第五中足骨基底部関節当接部位
３５…中足骨骨頭部
３５ａ…第一中足骨骨頭部
３５ｂ…第二中足骨骨頭部
３５ｃ…第三中足骨骨頭部
３５ｄ…第四中足骨骨頭部
３５ｅ…第五中足骨骨頭部
３６…中足骨基底部
３６ａ…第一中足骨基底部
３６ｂ…第二中足骨基底部
３６ｃ…第三中足骨基底部
３６ｄ…第四中足骨基底部
３６ｅ…第五中足骨基底部
４０ａ…第一指袋部
４０ｂ…第五指袋部
４１ａ…第二指袋部
４１ｂ…第三指袋部
４１ｃ…第四指袋部
４２ａ…切り欠き
４２ｂ…切り欠き
５０ａ…足指支持具（５指タイプ）
５０ｂ…足指支持具（３指タイプ）
５１…嵌入部
５２…足底部
【図１】
2010156078.tif 000003
【図２】
2010156078.tif 000004
【図３】
2010156078.tif 000005
【図４】
2010156078.tif 000006
【図５】
2010156078.tif 000007
【図６】
2010156078.tif 000008
【図７】
2010156078.tif 000009